(57)【要約】      （修正有）【課題】点灯していることを視認しやすい照明器具を提供する。【解決手段】照明器具１は、天井等に固定するための取付部３と、光透過性のカバー４とを備える。カバー４は、取付部３に対向する対向面４１と、取付部３と対向面４１との間に位置し、対向面４１の周囲に沿って起立する側面４２とを備える。取付部３と側面４２とは、締結部材４３によって互いに固定される。カバー４の側面４２には、有色かつ光透過性の有色部材５が取り付けられる。有色部材５には、その厚さ方向に貫通する貫通孔が設けられ、貫通孔に締結部材４３が挿入され、側面４２とともに鍔部を介して取付部３に固定される。【選択図】図１
0003210235.tif 000002
【実用新案登録請求の範囲】
【請求項１】
取付部および光透過性のカバーを備える照明器具であって、
前記カバーは、前記取付部に対向する対向面と、前記取付部と前記対向面との間に位置する側面とを備え、
前記側面には、有色かつ光透過性の有色部材が取り付けられることを特徴とする照明器具。
【請求項２】
照明器具に取付可能な照明器具用有色部材であって、
前記照明器具は取付部および光透過性のカバーを備え、前記カバーは前記取付部に対向する対向面と、前記取付部および前記対向面との間に位置する側面とを備え、
前記側面に取付けられるとともに光透過性を有することを特徴とする照明器具用有色部材。
【考案の詳細な説明】
【技術分野】
【０００１】
この考案は、建築物に取付けられる照明器具および照明器具用有色部材に関し、より詳細には、キャノピー等や天井に取付けられる照明器具およびこの照明器具用有色部材に関する。
【背景技術】
【０００２】
従来、ガソリンスタンドのキャノピーに取付けられる照明器具が知られている。特許文献１によれば、照明器具は天井から吊り下げて取り付けるものであって、天井側の上側部分と、その反対側の下側部分とを備える。上側部分には上部開口部を設け、下側部分には下部開口部を設けることによって、照明器具の下側だけでなく、上側である天井も照らすことができる。しかも、下部開口部を透光性の着色板で覆うことができる。
【先行技術文献】
【特許文献】
【０００３】
【特許文献１】特開２００９−９９４６０号公報
【考案の概要】
【考案が解決しようとする課題】
【０００４】
しかしながら、特許文献１によれば、照明器具の上側部分と下側部分を照らすことはできるが、その側面については考慮されていない。特にガソリンスタンドのキャノピーに取付けられた照明器具は、その下側を照らす目的だけではなく、客に対して営業中であることを表示する目的も備える。すなわち、照明器具の点灯によって営業中であることを示すものである。したがって、道路を走行する自動車のドライバーから視認しやすい必要があり、照明器具の側面からも点灯していることを視認できることが望ましい。
【０００５】
この考案では、点灯していることを視認しやすい照明器具を提供することを課題とする。
【課題を解決するための手段】
【０００６】
この考案のひとつは、取付部および光透過性のカバーを備える照明器具であって、前記カバーは、前記取付部に対向する対向面と、前記取付部と前記対向面との間に位置する側面とを備え、前記側面には、有色かつ光透過性の有色部材が取り付けられることを特徴とする。
【０００７】
この考案の他のひとつは、照明器具に取付可能な照明器具用有色部材であって、前記照明器具は取付部および光透過性のカバーを備え、前記カバーは前記取付部に対向する対向面と、前記取付部および前記対向面との間に位置する側面とを備え、前記側面に取付けられるとともに光透過性を有することを特徴とする。
【考案の効果】
【０００８】
この考案の照明器具および照明器具用有色部材によれば、照明器具のカバー側面に有色部材を取付けるので、これをガソリンスタンドのキャノピー等に設置した場合には、道路を走行中の自動車のドライバーから視認しやすい。また、照明の光を有色にすることによって、日中でも視認しやすく、営業中であるか否かの判断が容易である。
【図面の簡単な説明】
【０００９】
【図１】この考案の一実施形態を示す照明器具の斜視図。
【図２】図１のＩＩ−ＩＩ線断面図の一部を省略した図。
【図３】有色部材の正面図。
【図４】他の実施形態の図４と同様の図。
【考案を実施するための形態】
【００１０】
図１〜３は、この考案の照明器具１における実施形態の一例を示すものである。
図１を参照すれば、照明器具１は、天井等に固定するための取付部３と、光透過性のカバー４とを備える。取付部３は、例えば金属製とすることができ、図示しないねじ等の締結部材によって天井等に直接固定することができる。取付部３は、天井側に位置する上端部３１およびその反対側の下端部３２と、下端部３２に位置する凸部３３とを備える。この実施形態において、取付部３は略四角柱であり、凸部３３は、それぞれの角に設けられる。
【００１１】
カバー４として、例えば透明の強化ガラスを用いることができる。カバー４の内部には図示しない光源が取り付けられる。カバー４は、取付部３に対向する対向面４１と、取付部３と対向面４１との間に位置し、対向面４１の周囲に沿って起立する側面４２とを備える。この実施形態において、対向面４１は四角形であり、側面４２はそれぞれ互いに対向する４つの四角形からなる。取付部３と側面４２とは、締結部材４３によって互いに固定される。
【００１２】
図２に示したように、締結部材４３としてねじを用いるとともに、取付部３および側面４２には互いに一致し貫通する貫通孔３ａおよび４２ａが設けられ、これらに締結部材４３を挿入することによって、取付部３に側面４２を固定することができる。また、取付部３は、側面４２の略中央であって、その内側に位置する鍔部３４を備え、鍔部３４に貫通孔３ａが形成される。したがって、鍔部３４の外側に側面４２が位置する。
【００１３】
カバー４の側面４２には、有色かつ光透過性の有色部材５が取り付けられる。有色部材５として、例えば緑色、青色、オレンジ色等に着色されたアクリル板を用いることができる。有色部材５として、不燃性または難燃性材料を用いるのが望ましい。この実施形態において、有色部材５は、側面４２のひとつとほぼ同形同大の板状部材である。
【００１４】
有色部材５は側面４２の外側に配置される。より詳細には、カバー４の側面４２と取付部３の下端部３２との間には隙間があり、その隙間に有色部材５を挿入し保持することができる。有色部材５には、その厚さ方向に貫通する貫通孔５ａが設けられ、貫通孔５ａに締結部材４３が挿入され、側面４２とともに鍔部３４を介して取付部３に固定される。
【００１５】
図３を参照すれば、有色部材５は、上端縁５１、下端縁５２および両側縁５３を備える長方形である。貫通孔５ａは、両側縁５３の中央近傍であって、上端縁５１寄りに位置する。貫通孔５ａは、図面縦方向における寸法が、横方向における寸法よりも大きい長円形である。このように貫通孔５ａを長円形にすることによって、下端縁５２が側面４２の端部と一致するように調整することができる。
【００１６】
上記のような照明器具１は、カバー４を透明にすることによって、光源からの照度を大きく低下させることなくキャノピー内を照らすことができる。また、カバー４は、対向面４１と側面４２とを備えるので、照明器具１の下方だけでなく、その側方をも照らすことができる。側面４２に有色部材５を取付けることによって、側面４２からの光を有色にすることができる。カバー４に有色部材５を取付けた場合には、それを取付けない場合に比べて明るさが低下するが、対向面４１に有色部材５を取付けないことによって、照明器具１の下方における明るさを十分に確保することができる。なお、使用場所等によっては対向面４１にも有色部材５を取付けても良い。
【００１７】
ガソリンスタンドにおいて、営業中であることを示すためにオレンジ色や緑色等の照明を点灯させることがある。この実施形態によれば、側面４２に有色部材５を取付けることによって、道路を走行する車のドライバーから照明器具１を視認しやすくすることができ、営業中であるか否かを容易に判断することができる。
【００１８】
図４は、この考案の照明器具１における有色部材５の他の実施形態を示すものである。この実施形態において有色部材５は、上端縁５１および側縁５３のなす角に凹部５４が形成される。凹部５４の形状は、取付部３の凸部３３に対応するものであり、カバー４の側面４２に有色部材５を取付けたとき、有色部材５が取付部３を避けて側面４２に重なるようにしたものである。このように凹部５４を設けることにより、側面４２と取付部３の下端部３２との隙間が小さい場合に有効である。すなわち、これらの隙間に有色部材５が挿入できない場合であっても、有色部材５と側面４２とを接触させて取付けることができる。この実施形態において、有色部材５の上端縁５１および下端縁５２間の寸法は、取付部３の下端部３２およびカバー４の対向面４１間の寸法とほぼ等しくすることが好ましい。このような寸法にすることによって、有色部材５がカバー４の対向面４１からはみ出すことなく収まり、見た目にも良好なものとすることができる。
【００１９】
この考案における有色部材５は、すべての側面４２に取付ける必要はなく、例えば道路側に位置する側面４２にだけ取付けるようにしても良い。また、有色部材５は締結部材４３によって取付部３およびカバー４に取付けることができるので、その作業が容易である。この実施形態において有色部材５はカバー４の外側に取付けるようにしているが、内側に取付けることもできる。
【００２０】
上記のような照明器具１によれば、無色の光源を用いた場合であっても、有色部材５を取付けるだけで、有色の明かりにすることができる。有色の光源は無色のものに比べて高額であり、また有色にすることによって明るさが低下してしまう。カバー４を有色にすることも考えられるが、その場合には強化ガラスの強度の低下が懸念される。有色部材５を用いることによって、低コストで有色の明かりを得ることができる。また、対向面４１または側面４２のいずれかに有色部材５を取付けないことで明るさの低下を防止することができる。さらに、カバー４の強度を低下させることもない。
【符号の説明】
【００２１】
１    照明器具
３    取付部
４    カバー
５    有色部材
５ａ  貫通孔
４１    対向面
４２    側面
４３    締結部材
【図１】
0003210235.tif 000003
【図２】
0003210235.tif 000004
【図３】
0003210235.tif 000005
【図４】
0003210235.tif 000006